(57)【要約】【課題】仕切板を起伏させて、２種類の紙の大きさに対応できる給紙カセットにおいて、仕切板を一斉に起立させる。【解決する手段】外周部の側板２２、２２、２３、２３で囲まれる領域が大サイズ紙に適応するトレイ２を、小サイズ紙に適応する様に仕切るべく、縦側と横側の少なくとも夫々１つづつ仕切板３、４が起伏可能に配備され、トレイ２には、各仕切板３、４の伏せ状態でトレイの紙載せ面より上方に臨出しない様に仕切り板３、４を収容する収容部２４、２４が形成され、各仕切板３、４はトレイ２の下方に延びるレバー片３２、４２が突設され、各レバー片３２、２４が仕切板３、４を同時に起伏させる起伏機構５に連繋されている。【選択図】  図１
2004155541.tif 000002
【特許請求の範囲】
【請求項１】
２種類の紙サイズに適応できる給紙カセットであって、外周部の２つの縦側板（２２）（２２）と２つの横側板（２３）（２３）で囲まれる矩形の領域が大サイズ紙に適応するトレイ（２）を、小サイズ紙に適応する様に仕切るべく縦側と横側の少なくとも夫々１つづつ仕切板（３）（４）が起伏可能に配備され、各仕切板（３）（４）はトレイ（２）の下方に延びるレバー片（３２）（４２）が突設され、各レバー片（３２）（２４）は、仕切板（３）（４）を同時に起伏させる起伏機構（５）に連繋されている給紙カセット。
【請求項２】
トレイ（２）の底板（２１）には、伏せ状態の各仕切板（３）（４）がトレイの紙載せ面より上方に臨出しない様に、仕切り板（３）（４）を収容する収容部（２４）（２４）が形成されている請求項１に記載の給紙カセット。
【請求項３】
起伏機構（５）は、トレイ（２）上に縦仕切板（３）に直交してスライド可能に配備した縦スライド杆（６）の先端を縦仕切板（３）のレバー片（３２）に連結し、横仕切板（４）に直交してスライド可能に配備した横スライド杆（７）の先端を横仕切板（４）のレバー片（４２）に連結し、横スライド杆（７）の基端と縦スライド杆（６）の基端を連結杆（８）を介して連結して構成されている請求項１又は２に記載の給紙カセット。
【請求項４】
起伏機構（５）は、トレイ（２）上に縦仕切板（３）に直交してスライド可能に配備した縦スライド杆（６）の先端を縦仕切板（３）のレバー片（３２）に連結し、横仕切板（４）に直交してスライド可能に配備した横スライド杆（７）の先端を横仕切板（４）のレバー片（４２）に連結し、トレイ（２）の底部に回転カム（９）を配備し、回転カム（９）に形成した複数の溝カム（９１）（９１ａ）に、前記縦スライド杆（６）及び横スライド杆（７）の夫々の基端に突設した凸軸（６２）（７２）を嵌めて構成されている請求項１乃至３の何れかに記載の給紙カセット。
【請求項５】
仕切板に、トレイ（２）上の小サイズ紙を仕切板から離れる方向に付勢する付勢部材（４４）が設けられている請求項１乃至４の何れかに記載の給紙カセット。
【請求項６】
１つの縦仕切板（３）と、２つの平行横仕切板（４）（４）と、縦仕切板（３）と平行なトレイの横側板（２３）とによって小サイズ紙収部領域を形成する請求項１乃至５の何れかに記載の給紙カセット。
【発明の詳細な説明】
【０００１】
【発明の属する分野】
本発明は、プリンター等に装着する給紙カセットにおいて、複数の仕切板を起伏させて１つのカセットで２種類の用紙サイズに対応できる給紙カセットに関するものである。
【０００２】
【従来の技術及び発明が解決しようとする課題】
１つの給紙カセットを２種類の用紙サイズに対応させる場合、カセットの縦方向（長手方向）を仕切る縦仕切板と、横方向（短手方向）仕切る横仕切板を、夫々スライド可能又は起伏可能に配備している。
仕切板を起伏させる方式の給紙カセットは、仕切板を起立させる際、各仕切板を独立して起立操作せねばならず、操作が面倒であった。
仕切板をスライドさせる方式の給紙カセットでは、カムを用いて仕切り板を一斉にスライドせるものが提案されており、この給紙カセットは、大サイズ紙の位置決めにも仕切板を使用する。従って、カセットの側板は、大サイズ紙に合わせて外側に移動する仕切板の更に外側に在り、カセットの小型化の妨げとなる。
本発明は、起伏式の仕切板を採用し、且つ複数の仕切板を一斉に起立させる構造を明らかにして、上記問題を解決できる用紙カセットを提供するものである。
【０００３】
【特許文献１】
特開２０００−１６６０１号公報（仕切板を順に立ち上げる構成）
【特許文献２】
特開平７−１０９０３３号公報（仕切板をスライドさせる構成）
【特許文献３】
特開平８−２５７３３号公報（仕切板をスライドさせる構成）
【０００４】
【課題を解決する手段】
本発明の給紙トレイは、２種類の紙サイズに適応できる給紙カセットであって、外周部の２つの縦側板（２２）（２２）と２つの横側板（２３）（２３）で囲まれる矩形の領域が大サイズ紙に適応するトレイ（２）を、小サイズ紙に適応する様に仕切るべく縦側と横側の少なくとも夫々１つづつ仕切板（３）（４）が起伏可能に配備され、各仕切板（３）（４）はトレイ（２）の下方に延びるレバー片（３２）（４２）が突設され、各レバー片（３２）（２４）は、仕切板（３）（４）を同時に起伏させる起伏機構（５）に連繋されている。
【０００５】
【作用及び効果】
仕切板（３）（４）を倒すと、トレイ（２）の４つの側板（２２）（２２）、（２３）（２３）で囲まれる領域に大サイズ紙を収容出来る。
トレイ（２）の側板（２２）（２２）（２３）（２３）の位置は、大サイズ紙の輪郭に対応しており、トレイ（２）の大きさは下及的に小さくなる。
仕切板（３）（４）を起立させると、仕切板（３）（４）とトレイ（２）の側板で囲まれる小サイズ収容領域に、小サイズ紙を、紙の長手方向及び横幅方向に無用の空間を生じることなく収容出来る。
起伏機構（５）により、縦仕切板（３）と横仕切板（４）を同時に起伏させて、紙の収容領域を、ワンタッチで大、小に切替えできるため、切替操作性が良い。
【０００６】
第１実施例（図１乃至図７）
図１の給紙カセット（１）は、トレイ（２）上の３つの仕切板（３）（４）（４）をリンク機構による起伏機構（５）により、一斉に起伏させるものである。
トレイ（２）は合成樹脂にて形成され、２つの平行縦側板（２２）（２２）と２つの平行横側板（２３）（２３）によって形成される縦方向に長い長方形の枠体に、少し上げ底にして底板（２１）を設けている。
４つの側板（２２）（２２）、（２３）（２３）に囲まれる底板（２１）の上方が、大サイズ紙の束をトレイ（２）の長手方向及び幅方向に無用の空間が生じない様に収容する大サイズ紙収容領域となる。
【０００７】
トレイ底板（２１）に、１つの横長縦仕切板（３）と２つの横仕切板（４）（４）が起伏可能に配備される。
縦仕切板（３）及び横仕切板（４）は、合成樹脂にて横長の長方形に形成され、起立状態にてトレイ側板（２２）（２３）よりも少し低い。
縦仕切板（３）は、トレイ（２）の長さ方向を小サイズ紙の長さに対応する様に仕切るものであり、トレイ横側板（２３）と平行に配備され、トレイの２つの横側板（２３）（２３）の内、近い方の横側（２３）から自由端が離れる方向に回転してトレイ底板（２１）に対して９０゜起立する。
横仕切板（４）（４）は、トレイの幅方向を、小サイズ紙の幅長さに対応する様に仕切るものであり、トレイ縦側板（２２）と平行に配備され、トレイの両縦側板（２２）（２２）から等距離内側の位置にて、夫々近い方の縦側板（２２）に対して、自由端が接近する方向に回転してトレイの底板（２１）に対して９０゜起立する。
起立状態の１つの縦仕切板（３）、２つの横仕切板（４）（４）及び縦仕切板（３）から遠い方のトレイ横側板（２３）とによって囲まれる底板（２１）の上方が、小サイズ紙の束を、トレイの長手方向及び幅方向に無用の空間が生じない様に収容する小サイズ紙収容領域となる。
【０００８】
各仕切板（３）（４）は、両端に支持軸（３１）（３１）、（４１）（４１）を突設し、該支持軸（３１）（３１）、（４１）（４１）を、トレイ底板（２１）に開設した嵌込み溝（２５）（２５）に回転自由に嵌め込んで、トレイ底板（２１）に取り付けられている。
嵌込み溝（２５）（２５）は、トレイ底板（２１）の上面に亘って、支持軸（３１）（４１）の太さよりも少し幅狭に開口し、溝奥は支持軸（３１）（４１）が回転可能に嵌まる大きさに開設されている。
支持軸（３１）（４１）を嵌込み溝（２５）に樹脂の弾性変形により無理に決め込んで、仕切板（３）（４）を回転可能に支持せしめる。
【０００９】
トレイ底板（２１）には、仕切板（３）（４）が起立する際に、トレイ底板（２１）と干渉しない様に、逃がし溝（２９）（２９）（２９）が開設されている。
更に、トレイ底板（２１）には、伏せ状態の仕切板（３）（４）（４）を収容する仕切板収納部（２４）（２４）（２４）が凹設され、仕切板（３）（４）が、トレイ底板（２１）の上面、即ち、紙載せ面より高く臨出することを防止している。
実施例では、伏せ状態の仕切板（３）（４）（４）はトレイ底板（２１）と面が揃う。
縦仕切板（３）を収容する収納部（２４）に連続して、手指の爪を縦仕切板（３）の自由端に引っ掛けるための爪案内凹み部（２４ａ）が形成されている。
【００１０】
上記各仕切板（３）（４）（４）の、回転中心側の側縁中央部に、レバー片（３２）（４２）（４２）を夫々収納部（２４）の下方に延びる様に斜め下向きに突設し、各レバー片（３２）（４２）（４２）を起伏機構（５）に連繋して構成される。
起伏機構（５）は、トレイ（１）の上げ底の下面上に配備され、縦仕切板（３）を起伏させる縦スライド杆（６）と横仕切板（４）（４）を起伏させる２つの横スライド杆（７）（７）と、横スライド杆（７）（７）と縦スライド杆（６）を連結する連結杆（８）（８）とによって構成される。
【００１１】
縦スライド杆（６）は、横仕切板（４）（４）の間の中央部にて、縦仕切板（３）に直交してスライド可能に配備され、図５に示す如く、先端に開設した長孔（６３）に、前記縦仕切板（３）のレバー片（３２）先端に突設した連結軸（３３）を嵌めて連結されている
図２に示す如く、縦スライド杆（６）の基端にガイド軸（６２）が突設され、該ガイド軸（６２）が、トレイ底板（２１）に開設したガイド孔（２６）にスライド可能に嵌まり、ガイド孔（２６）の長さに対応して縦スライド杆（６）はスライドして、縦仕切板（３）を起伏させる。
【００１２】
図７に示す如く、縦スライド杆（６）の両側縁には、スライド杆（６）の前進端と後退端の２カ所で縦スライド杆（６）を軟係止する軟係止手段が配備され、実施例の軟係止手段は、縦スライド杆（６）の両側縁に形成した凹み部（６４）（６４）、（６５）（６５）に、トレイ底面に突設した凸片（２０）（２０）を、弾性変形により係脱させるものである。
【００１３】
横スライド杆（７）（７）は、横仕切板（４）の長さ方向の略中央にて、横仕切板（４）の長さ方向に直交してスライド可能に配備され、図６に示す如く、先端に開設した長孔（７３）に、横仕切板（４）のレバー片（４２）先端に突設した連結軸（４３）を嵌めて連結されている。
横スライド杆（７）の基端を貫通して突設したガイド軸（７２）の上部が、トレイ底板（２１）に開設したガイド孔（２７）にスライド可能に嵌まり、ガイド孔（２７）の長さに対応して横スライド杆（７）（７）はスライドして横仕切板（４）（４）を起伏させる。各横スライド杆（７）（７）の基端と前記縦スライド杆（６）の基端が連結杆（８）（８）を介して枢支連結される。
実施例では、図６に示す如く、前記ガイド軸（７２）の下部が連結杆（８）に回転自由に連結されている。
【００１４】
然して、図２示す如く、給紙カセット（１）の仕切板（３）（４）（４）が伏せた状態において、トレイ（２）の２つの縦側板（２２）（２２）と２つの横側板（２３）（２３）で囲まれる底板（２１）の上方部分が、大サイズ紙収容領域であり、大サイズ紙の束をトレイ（２）の長手方向及び幅方向に無用の空間が生じない様に収容できる。
【００１５】
給紙カセット（１）を小サイズ紙用に切り換えるには、トレイ底板（２１）の爪案内凹み部（２４ａ）から爪先を縦仕切板（３）の自由端に引っ掛けて、縦仕切板（３）を起こす。縦仕切板（３）のレバー片（３２）に引っ張られてスライド杆（６）が図１の矢印Ａ方向に前進する。
縦仕切板（３）の前進により、横スライド杆（７）（７）は、連結杆（８）（８）を介して縦スライド杆（６）の前進方向に引っ張られる。しかし、横スライド杆（７）（７）は基端のガイド軸（７２）が、ガイド孔（２７）に嵌まっており、該ガイド孔（２７）は、トレイ底板（２１）に縦スライド杆（６）のスライド方向と直交して開設されている。従って、横スライド杆（７）（７）は、ガイド孔（２７）（２７）に沿って互いに接近する方向にスライドする。これによって横仕切板（４）のレバー片（４２）が内側に引っ張られて横仕切板（４）は起立する
上記の如く、縦仕切板（３）を起立させると、横仕切板（４）（４）も同時に起立し、３つの仕切板（３）（４）（４）と、縦仕切板（３）から遠い方のトレイ横側板（２３）とによって囲まれる底板（２１）の上方に、小サイズ紙収容領域が形成される。
【００１６】
再び給紙カセット（１）を大サイズ紙用に切り換えるには、縦仕切板（３）を倒す。縦スライド杆（６）は図１の矢印Ｂ方向にスライド後退する。縦スライド杆（６）によって連結杆（８）（８）も矢印Ｂ方向に押圧されるが、連結杆（８）と横スライド杆（７）を枢支連結するガイド軸（７２）は、横仕切板（４）の長手方向と直交する方向に延びるガイド孔（２７）に嵌まっており、ガイド軸（７２）は矢印ｂで示す如く、ガイド孔（２７）に沿って外側に移動する。ガイド軸（７２）は、連結杆（８）と横仕切板（４）を枢支連結しているから、ガイド軸（７２）の移動により、横仕切板（４）のレバー片（４２）が外側に押されて横仕切板（４）は支持軸（４１）（４１）を中心に回転して伏せる。
トレイ（２）の４つの側板（２２）（２３）で囲まれる領域に、仕切板（３）（４）（４）に邪魔されることなく大サイズ紙を収容できる。
【００１７】
実施例において、横仕切板（４）（４）を互いに自由端が離れる方向に回転して起立する様に構成したのは、レバー片（４２）（４２）の位置をトレイ（２）の外周縁に接近させて、レバー片（４２）（４２）間の距離を長くとるためである。レバー片（４２）（４２）間の距離を長くすれば、縦スライド杆（６）の縦スライド動作を連結杆（８）を介して横スライド杆（７）（７）の横スライド動作に無理なく伝達させることができる。
【００１８】
第２実施例（図８乃至図１３）
第２実施例は回転カム（９）を用いた起伏機構（５）によって、１つの縦仕切板（３）及び２つの横仕切板（４）を一斉に起伏させるものである。
第２実施例は、起伏機構（５）を除いて上記第１実施例で同様の構成であり、第１実施例で用いた符号を付すことにより、第１実施例と同じ部品、同じ構成については説明を省略する。
第２実施例の起伏機構（５）は、２つの横仕切板（４）（４）の中間位置にて、底板（２１）上面に円形凹み部（２８）を開設し、該円形凹み部（２８）に円形の回転カム（９）を回転可能に嵌合する。
回転カム（９）の下面には、外周側から該回転カムの回転中心側へ近づく様に湾曲した３つの溝カム（９１）（９１ａ）（９１ａ）が開設されている。
縦仕切板（３）を起伏させる溝カム（９１）と、横仕切板（４）（４）を起伏させる溝カム（９１ａ）（９１ａ）は、回転カム（９）の回転方向に対して、一方の溝カム（９１）が回転中心に近づけば、他方の溝カム（９１ａ）は回転中心から離れる様に形成されている。
これは、縦仕切板（３）は縦スライド杆（６）が外側に前進すれば起立し、内側に後退すれば伏せるのに対して、横仕切板（４）（４）は、横スライド杆（７）（７）が外側に前進すれば伏せ、内側に後退すれば起立するためである。
【００１９】
第１実施例と同様にして、縦仕切板（３）のレバー片（３２）に先端を連結した縦スライド杆（６）及び、横仕切板（４）のレバー片（４２）に先端を連結した横スライド杆（７）（７）の夫々の基端のガイド軸（６２）（７２）（７２）は、上記円形凹み部（２８）の底面に開設したガイド孔（２６）（２７）（２７）を貫通して、回転カム（９）の各溝カム（９１）（９１ａ）（９１ａ）に嵌まっている。
縦スライド杆（６）のガイド軸（６２）が貫通したガイド孔（２６）は、縦仕切板（３）と直交する方向に延び、横スライド杆（７）のガイド軸（７２）が貫通したガイド孔ガイド孔（２７）は、横仕切板（４）と直交する方向に延びている。
溝カム（９１）（９１ａ）（９１ａ）による縦スライド杆（６）及び横スライド杆（７）（７）のスライドストロークは、縦仕切板（３）及び横仕切板（４）を９０゜回動させて仕切板を起伏させるのに必要にして十分な長さとする。
【００２０】
回転カム（９）の上面には、回転カム（９）を手動で回すための指掛り用の凹み部（９２）が形成されている。
【００２１】
然して、図９に示す如く、仕切板（３）（４）（４）が伏した状態にて、回転カム（９）を矢印Ｘ方向に回すと、溝カム（９１）によって、縦スライド杆（６）は外側に前進して縦仕切板（３）を起立させ、溝カム（９１ａ）（９１ａ）によって、横スライド杆（７）（７）は内側に後退して横仕切板（４）（４）を起立させる。
回転カム（９）を矢印Ｙ方向に回すと、上記とは逆の動作により、縦仕切板（３）及び横仕切板（４）（４）は一斉に伏せる。
【００２２】
尚、本発明の実施において、図１に示す２つの横仕切板（４）（４）の内、一方の横仕切板（４）に、２点鎖線で示す如く、小サイズ紙の束（図示せず）を相手横仕切板（４）側へ付勢する板バネ等の付勢部材（４４）を設けることができる。
この場合、横仕切板（４）が伏せた際に、付勢部材（４４）を逃がすための逃がし部（図示せず）を収納部（２４）の底面に開設することができる。
縦仕切板（３）にも、小サイズ紙の束を相手トレイ横側板（２３）側へ付勢する付勢部材（図示せず）を配備するこが出来るのは勿論である。
【００２３】
又、本発明の実施において、縦仕切板（３）及び横仕切板（４）は、図１４に示す如く、高さ方向に２つ折り構造とし、連結軸（１１）にて枢支連結した２つの板片（３０）（３０）、（４０）（４０）の内、一方の板片（３０）（４０）に、スライドダー（１２）を枢支連結し、該スライダー（１２）を、スライド杆（６）（７）にて、スライドさせることにより、仕切板（３）（４）を起伏させることができる。
【００２４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば第２実施例において、回転カム（９）の外周面に３つのカム面（図示せず）を形成し、カム面に  、縦スライド杆（６）及び横スライド杆（７）（７）の夫々のガイド軸（６２）（７２）（７２）が当たる様にし、各杆に連繋したバネ（図示せず）にて、ガイド軸をカム面に常時付勢しても、第２実施例と同様の効果を奏することができる。
更に、スライド杆（６）（７）（７）を省略して、大型の回転カム外周のカム面（図示せず）に縦仕切板（３）及び横仕切板（４）（４）の夫々のレバー片（３２）（４２）（４２）を当てて仕切板（３）（４）（４）を一斉に起伏させることが出来る。
更に、実施例では、３つの仕切板（３）（４）（４）と、１つのトレイ側板（２３）とによって、小サイズ紙の収容領域を形成したが、横仕切板（４）を１つ省略し、１つの縦仕切板（３）、１つの横仕切板（４）、１つのトレイ縦側板（２２）及び１つのトレイ横側板（２３）とによって小サイズの収容領域を形成できるのは勿論である。
【図面の簡単な説明】
【図１】給紙カセットの斜面図である。
【図２】給紙カセットの平面図である。
【図３】給紙カセットの縦断面図である。
【図４】給紙カセットの横断面図である。
【図５】縦仕切板と縦スライド杆の連結部の説明図である。
【図６】横仕切板と横スライド杆の連結部の説明図である。
【図７】給紙カセットの底面図である。
【図８】第２実施例の給紙カセットの斜面図である。
【図９】同上の平面図である。
【図１０】同上の縦断面図である。
【図１１】同上の横断面図である。
【図１２】同上の底面図である。
【図１３】同上の仕切板が起立した状態の平面図である。
【図１４】２つ折り構造の仕切板の動作説明図で合って、Ａ図は伏せた状態、Ｂ図は起立途上の状態、Ｃ図は起立状態を示す図である。
【図１】
2004155541.tif 000003
【図２】
2004155541.tif 000004
【図３】
2004155541.tif 000005
【図４】
2004155541.tif 000006
【図５】
2004155541.tif 000007
【図６】
2004155541.tif 000008
【図７】
2004155541.tif 000009
【図８】
2004155541.tif 000010
【図９】
2004155541.tif 000011
【図１０】
2004155541.tif 000012
【図１１】
2004155541.tif 000013
【図１２】
2004155541.tif 000014
【図１３】
2004155541.tif 000015
【図１４】
2004155541.tif 000016